(57)【特許請求の範囲】
【請求項１】
イメージング材料供給カートリッジ(24)であって、
イメージング材料を収容するよう構成された本体(34)と、
該本体(34)により支持されたメモリ(42)であって、複数のパーティション(50)及び１つのパーティションマップ(52)を含む、メモリ(42)と
を備えており、
前記複数のパーティション(50)の各々が、１つ又は２つ以上の異なるデータフィールド(56)を含み、
前記パーティションマップ(52)が、前記複数のパーティション(50)の各々毎のパーティションアドレス(60)及びパーティションID(62)を含み、
各パーティションID(62)が、各パーティションアドレス(60)によりアドレス指定される特定のパーティション(50)についてアクセスモードを識別するアクセスモードデータと暗号化属性を識別する暗号化モードデータとの両方を含み、該アクセスモードデータ及び該暗号化モードデータを単一のパーティションアドレスに同時に関連づけすることができるようになっている、
イメージング材料供給カートリッジ(24)。
【請求項２】
前記アクセスモードが、リードオンリーモード、リード／ライトモード、及びリード／ライト・オアモードのうちの１つからなる、請求項１に記載のイメージング材料供給カートリッジ(24)。
【請求項３】
各パーティション(50)毎に、前記パーティションID(62)が、１ビットの前記暗号化モードデータと少なくとも２ビットの前記アクセスモードデータとを有する１バイトからなる、請求項１又は請求項２に記載のイメージング材料供給カートリッジ(24)。
【請求項４】
前記１バイトが、少なくとも４ビットの前記アクセスモードデータを含む、請求項３に記載のイメージング材料供給カートリッジ(24)。
【請求項５】
前記メモリ(42)が、前記パーティションマップ(52)の外部の如何なるデータフィールドの識別子又は暗号化状態をも含まない、請求項１ないし請求項４の何れか一項に記載のイメージング材料供給カートリッジ(24)。
【請求項６】
前記メモリ(42)が前記本体(34)の外部に取り付けられている、請求項１ないし請求項５の何れか一項に記載のイメージング材料供給カートリッジ(24)。
【請求項７】
前記パーティションマップ(52)が、前記メモリ(42)のユーザアクセス不能部分にある、請求項１ないし請求項６の何れか一項に記載のイメージング材料供給カートリッジ(24)。
【請求項８】
前記パーティションアドレス(60)が、前記パーティション(50)の長さを識別するデータで該パーティション(50)の境界を識別する、請求項１ないし請求項７の何れか一項に記載のイメージング材料供給カートリッジ(24)。
【請求項９】
あらゆるパーティションがそれぞれ異なるアクセスモード及び異なる暗号化属性を有している、請求項１ないし請求項８の何れか一項に記載のイメージング材料供給カートリッジ(24)。
【請求項１０】
１つ又は２つ以上のプリントヘッドを更に含む、請求項１ないし請求項９の何れか一項に記載のイメージング材料供給カートリッジ(24)。
【請求項１１】
前記本体(34)内にイメージング材料を更に含み、該イメージング材料がインクからなる、請求項１ないし請求項１０の何れか一項に記載のイメージング材料供給カートリッジ(24)。
【請求項１２】
１つのパーティションは２つ以上のアクセスモード又は２つ以上の暗号化属性のデータフィールドを含まない、請求項１ないし請求項１１の何れか一項に記載のイメージング材料供給カートリッジ(24)。
【請求項１３】
該イメージング材料供給カードリッジ(24)が、前記本体(34)からイメージング材料を受容する１つ又は２つ以上のプリントヘッドを備えたプリントカートリッジである、請求項１ないし請求項１２の何れか一項に記載のイメージング材料供給カートリッジ(24)。
【発明の詳細な説明】
【背景技術】
【０００１】
イメージング材料供給カートリッジのなかには、データを格納するためのメモリを含むものがある。該メモリに格納されているデータの属性を識別するための現存する機構は、貴重なメモリスペースを占有するものである。
【図面の簡単な説明】
【０００２】
【図１】一実施形態によるプリンティングシステムの概略図である。
【図２】一実施形態による図１のプリンティングシステムのカートリッジのパーティションマップの概略図である。
【図３】一実施形態による図２のパーティションマップのパーティションID部分の一例の概略図である。
【図４】一実施形態による図１のプリンティングシステムを用いる方法を示す図である。
【発明を実施するための形態】
【０００３】
図１は、一実施形態によるプリンティングシステム20の概略図である。プリンティングシステム20は、プリンタ22及び１つ又は２つ以上のイメージング材料供給カートリッジ24（１つのみ示す）を含む。以下で説明するように、イメージング材料供給カートリッジ24は、データ格納用の一層多くのメモリスペースを提供する一層スペース効率の良い態様で、そのメモリに格納されているデータの属性を識別する。
【０００４】
プリンタ22は、基体又はプリント媒体上にイメージング材料のパターン又はイメージをマークし、プリントし、又は堆積させ若しくは形成するよう構成された、プリンティング、マーキング、又はイメージング装置からなるものである。図１に概略的に示すように、プリンタ22は、フレーム、本体又はハウジング28、供給源インタフェイス30、及びコントローラ32を含む。ハウジング28は、プリンタ20の残りの要素を支持する。ハウジング28は更に、イメージング材料供給カートリッジ24を取り外し可能な状態で受容し、又はイメージング材料供給カートリッジ24を取り外し可能な状態で支持する。例えば、一実施形態では、ハウジング28は、基体又はプリント媒体を横切ってイメージング材料供給カートリッジ24を走査させるよう構成されたキャリッジ（図示せず）を移動可能な状態で支持することが可能である。イメージング材料供給カートリッジ24が（ページ幅アレイプリンティングシステムの場合のように）プリント対象となる基体又はプリント媒体の全幅にわたって延びる別の実施形態では、ハウジング28は、１つ又は２つ以上の基体全幅にわたるイメージング材料供給カートリッジ24を取り外し可能な状態で支持するものとなる。一実施形態では、ハウジング28は、イメージング材料供給カートリッジ24に対して（ロール媒体又はシート媒体等の）基体又は媒体を搬送し又は移動させるよう構成された媒体搬送手段（図示せず）を更に支持することが可能である。
【０００５】
インタフェイス30は、プリンタ22がイメージング材料供給カートリッジ24と通信するための機構を含む。一実施形態では、インタフェイス30は、１つ又は２つ以上の電気配線、電気ワイヤ、電気接点パッド、及び電気プラグ等を用いた有線接続を含むことが可能である。プリンタ22及びイメージング材料供給カートリッジ24は相隔たるものとして示されているが、インタフェイス30はインタフェイス40と接触することが可能である。別の実施形態では、インタフェイス30は、プリンタ22とイメージング材料供給カートリッジ24との間の無線通信を容易にすることが可能である。
【０００６】
コントローラ32は、制御信号を生成するよう構成された１つ又は２つ以上の処理装置を含み、該制御信号は、プリンティング又はマーキングを、イメージング材料供給カートリッジ24のプリンティング要素（プリントヘッド等）により実行すること又はイメージング材料供給カートリッジ24からのイメージング材料を使用して実行することを指示するものである。コントローラ32は更に、イメージング材料供給カートリッジ24に格納されているデータを読み出し及び該カートリッジ24にデータを書き込むよう構成されている。
【０００７】
本発明では、用語「処理装置」とは、メモリに格納されている一連の命令を実行する、現在開発され又は将来開発される処理装置を意味するものである。一連の命令を実行することにより、該処理装置は、制御信号の生成といったステップを実行することになる。該命令は、処理装置によるその実行のために、リードオンリーメモリ（ROM）、大容量記憶装置、又は他の何らかの永続性記憶装置からランダムアクセスメモリ（RAM）へロードすることが可能である。別の実施形態では、ソフトウェア命令の代わりに又はそれに加えてハードワイヤード回路を使用して所望の機能を実施することが可能である。例えば、コントローラ32は、１つ又は２つ以上のASIC（特定用途向け集積回路）の一部として実施することが可能である。特に示さない限り、コントローラは、ハードウェア回路及びソフトウェアの如何なる特定の組み合わせにも限定されるものではなく、また処理装置により実行される命令の如何なる特定の供給源にも限定されるものではない。コントローラ32は、プリンタ22の一部として示されているが、他の実施形態では、コントローラ32は、別個の電子装置（例えば別個のコンピュータ）により提供することが可能である。
【０００８】
イメージング材料供給カートリッジ24は、基体又はプリント媒体に対するプリンティング又はマーキングのためのイメージング材料を供給するよう構成された装置を含む。図示の例では、イメージング材料供給カートリッジ24は、本体34、イメージング材料供給源36、イメージ形成装置38、インタフェイス40、及びメモリ42を備えている。本体34は、イメージング材料供給カートリッジ24の残りの構成要素を少なくとも部分的に収容し又は支持する骨組み又はハウジングを含む。本体34は、イメージング材料供給源36を収容し又は形成する。本体34は、様々な異なる形状及び構成を有することが可能である。
【０００９】
イメージング材料供給源36は、本体34内に形成されイメージング材料を収容する一定の容積、空洞、又はチャンバを含む。一実施形態では、イメージング材料供給源36は、液体イメージング材料を収容する。液体イメージング材料の例として、有色インク、非有色（non-chromatic）インク、有色トナー、非有色トナー、定着剤、エンボシング材料、又は機械的、化学的、若しくは電気的な構造（トランジスタ、化学的又は電気的な検知装置、マイクロマシン、ナノマシン等）を形成するようプリンティングし若しくはマーキングすることが可能な溶質を含む溶液が挙げられる（但し、これらには限定されない）。一実施形態では、イメージング材料供給源36は、ドライトナー等のドライイメージング材料を収容することが可能である。一実施形態では、イメージング材料供給源36は、実質的に封入され又は密閉されたチャンバを含むことが可能であり、この場合には、該イメージング材料供給源36のイメージング材料を使い果たした際に、カートリッジ24を取り外して廃棄し、又は新しいイメージング材料を用いて該カートリッジ24を再生する。別の実施形態では、イメージング材料供給源36は代替的に、プリンタ22に接続されている間に別個のイメージング材料供給源から定期的に又は連続的に補充されるよう構成することが可能である。
【００１０】
イメージ形成装置38は、イメージング材料供給源36から受容したイメージング材料を基体又はプリント媒体上にプリントし、マークし、堆積させ、又は付与するよう構成された１つ又は２つ以上の装置を含む。一実施形態では、イメージ形成装置38は、液体イメージング材料が放出されることになる流体ノズル又は液体ノズルを有する１つ又は２つ以上のプリントヘッドを含むことが可能である。かかる液体放出プリントヘッドの例として、サーモレジスティブ(thermoresistive)インクジェットプリントヘッド及びピエゾレジスティブ(piezo resistive)インクジェットプリントヘッドといったドロップ・オン・デマンド・インクジェットプリントヘッドが挙げられる。別の実施形態では、イメージ形成装置38は、基体又はプリント媒体上に静電気的に形成されたイメージング材料のパターン又はイメージを付与するよう構成された１つ又は２つ以上のドラム又はローラを含むことが可能である。かかる実施形態では、イメージング材料は、ドライトナー形態又は液体トナー形態のものとすることが可能である。
【００１１】
図示の例では、イメージ形成装置38は、カートリッジ24の一部として支持され搬送されるように、該カートリッジ24の一部として実施されている。別の実施形態では、イメージ形成装置38は、代替的に、カートリッジ24ではなくプリンタ22の一部として配設することが可能である。かかる代替的な実施形態では、イメージング材料供給カートリッジ24は、イメージング材料供給源36からプリンタ22のイメージ形成装置38へとイメージング材料を供給する。
【００１２】
インタフェイス40は、プリンタ22がイメージング材料供給カートリッジ24と通信するための機構を含む。一実施形態では、インタフェイス40は、１つ又は２つ以上の電気配線、電気ワイヤ、電気接点パッド、及び電気プラグ等を用いた有線接続を含むことが可能である。別の実施形態では、インタフェイス40は、プリンタ22とイメージング材料供給カートリッジ24との間の無線通信を容易にすることが可能である。実施形態によっては、イメージング材料供給カートリッジ24は、それ自体が、プリンタ22のプロセッサ若しくはコントローラとの更なる通信、又は該プリンタ22に付随し若しくは該プリンタ22と通信する別個のプロセッサ若しくはコントローラとの更なる通信を行う、プロセッサ又はコントローラを含むことが可能である。
【００１３】
メモリ42（概略的に示す）は、本体34により支持され、本体34に対して物理的に取り付けられ、本体34内に物理的に包囲され若しくは収容され、又は本体34により支持されるよう本体34に結合された、１つ又は２つ以上の永続性記憶装置を含む。換言すれば、メモリ42は、カートリッジ24がプリンタ22から分離された際に該カートリッジ24の一部のままとなる。メモリ42は、電子的な又はコンピュータ読み取り可能な記憶手段を含む。メモリ42の例として、磁気メモリ、光メモリ、集積回路、又はメモリカード等が挙げられる（但し、これらには限定されない）。
【００１４】
図１に示すように、メモリ42は、パーティション50及びパーティションマップ52を含む。パーティション50は、メモリの複数の部分、領域、又はブロックを含む。各パーティション50は、１つ又は２つ以上の異なるデータ部分又はデータフィールド（DF）56を含む。図示の例では、各パーティション50は、異なるデータフィールド56の異なるグループを含む。複数のデータフィールド56は、該データフィールド56の属性に基づいて様々な指定されたパーティション50へとグループ化される。図示の例では、各データフィールド56は、その特定のデータフィールド56がどのようにアクセスされるべきものであるのか（アクセスモード）及び該データフィールド56が暗号化されているのか否か又はどのように暗号化されているのか（暗号化属性）に基づいて、複数のパーティション50のうちの１つへとグループ化される。
【００１５】
例えば、一実施形態では、同一のアクセスモードを有するデータフィールド56の全てが、特定のアクセスモードが指定され又は割り当てられた１つ又は２つ以上のパーティションに共にグループ化される。異なるアクセスモードの例として、リードオンリー、リード／ライト、又はリード／ライト・オア（read/write-or）が挙げられる。リードオンリーアクセスモードは、単に、特定のパーティション内のデータフィールド56の読み出しのみを可能とするものである。リード／ライトアクセスモードは、特定のパーティション内のデータフィールド56からのデータの読み出し又は該データフィールド56へのデータの書き込みを両方とも可能とするものである。リード／ライト・オアモードは、データフィールドを一方向で変更することを可能にするものである。例えば、リード／ライト・オアモードは、入力に論理ＯＲ関数を実行する。例えば、入力１は、既存のビット値１を変更しないものとなる。入力０は、既存のビット値１を変更しないものとなる。入力１は、既存のビット値０を変更するものとなる。一実施形態では、データが既に書き込まれていて変更されることはないが読み出しのみ行われることになるデータフィールド56の全てを１つのパーティションにグループ化することが可能である。かかる実施形態では、データが書き込まれる可能性があり又は読み出される可能性があるデータフィールド56の全てを共に別の１つのパーティションにグループ化することが可能である。
【００１６】
同一の暗号化属性を有するデータフィールド56の全ては共に、該特定の暗号化属性が指定された１つ又は２つ以上のパーティションにグループ化される。例えば、一実施形態では、暗号化属性は単純に、（１）暗号化済み、（２）未暗号化（プレーンテキスト）とすることが可能である。実施形態によっては、暗号化されているデータフィールド56を、その暗号化モード又は方法に基づいて更に別個にグループ化することが可能である。
【００１７】
データフィールド56のそのアクセスモードに基づくグループ化及びその暗号化属性に基づくグループ化は、同一のグループ化レベルで包括的に行うことが可能である。換言すれば、同一のアクセスモード及び同一の暗号化属性を両方とも有するデータフィールドの全てを共に１つ又は２つ以上の指定されたパーティションにグループ化することが可能である。１つのパーティションは、２つ以上のアクセスモード又は２つ以上の暗号化属性のデータフィールドを含まない。
【００１８】
例えば、一実施形態では、パーティション50は、データフィールドの６つの異なるグループ化を含むことが可能である。第１のパーティション50は、リードオンリーアクセス可能であり暗号化されたデータフィールドのみを含むものとすることが可能である。第２のパーティション50は、リードオンリーアクセス可能であり暗号化されていないデータフィールドのみを含むものとすることが可能である。第３のパーティション50は、リード／ライトアクセス可能であり暗号化されたデータフィールドを含むものとすることが可能である。第４のパーティション50は、リード／ライトアクセス可能であり暗号化されていないデータフィールドを含むものとすることが可能である。第５のパーティション50は、リード／ライト・オアアクセス可能であり暗号化されたデータフィールドを含むものとすることが可能である。第６のパーティション50は、リード／ライト・オアアクセス可能であり暗号化されていないデータフィールドを含むものとすることが可能である。
【００１９】
一実施形態では、特定のパーティション50の各バイトが単一のデータフィールド56を有することが可能であり、この場合、該バイトの余剰ビットは単にパディングされる。別の実施形態では、データフィールド56は、１つ又は２つ以上のデータバイト内で端から端までスタックされ、この場合には、該１つ又は２つ以上のデータバイトからなる組の未使用のデータビットのみがパディングされ又は使用されない。別の実施形態では、データフィールド56は、それに関連するパーティション50において他の態様でグループ化することが可能である。
【００２０】
パーティションマップ／テーブル52は、メモリ42内に格納されるパーティション50の属性並びにメモリ42内の各パーティション50のアドレス又は場所に関する情報又はデータのマッピング、アウトライン作成、インデックス作成、又は提供を行う、メモリ42の一部を構成するものである。一実施形態では、パーティションマップ52は、メモリ42の所定の又は既定の変更不能部分に配設され、一方、パーティション50は、メモリ42のユーザアクセス可能部分に格納される。パーティションマップ52は、パーティション50へのアクセスに先立ってコントローラ32により最初に読み出されるよう構成されている。
【００２１】
図２は、パーティションマップ52を詳細に示す概略図である。図２に示すように、各パーティション50毎に、パーティションマップ52は、パーティションアドレス部分60及びパーティションID部分62を含む。パーティションアドレス部分60は、パーティションマップ52のうち、パーティション50の境界又はアドレスを識別する部分を構成する。例えば、一実施形態では、各パーティションアドレス60は、その関連するパーティション50の終了位置を識別するものとなる。別の実施形態では、パーティション50の位置又は境界は、他の態様で識別することが可能である。例えば、代替的に、各パーティションアドレス60によって各パーティション50の開始位置を識別することが可能である。一実施形態では、パーティションアドレスは、パーティション内のデータバイトの開始記憶位置を指定する24ビットデータ要素からなる。更に別の実施形態では、各パーティションアドレス60によって各パーティションの長さを識別することが可能である。
【００２２】
パーティションID部分62は、パーティションアドレス部分60によりアドレス指定されるパーティションの実際の属性を提供するものである。パーティションID部分62は、パーティションマップ52のパーティションアドレス部分60によりアドレス指定される特定のパーティション50についてアクセスモード及び暗号化属性の両方を識別する。パーティションマップ52のパーティションID部分62の各々が、アクセスモード及び暗号化モードの両方を識別するので、（メモリを使用して特定の識別された範囲のデータフィールドにアクセスモードを関連付けする１つのマップと、選択された暗号化属性を有するデータについて特定の識別された範囲のデータフィールドを再び識別するために更なるメモリスペースを使用しなければならない更なるマップとを使用するのではなく）両方のデータ部分（アクセスモード及び暗号化モードデータ）を単一のパーティションアドレスに同時に関連付けすることができる。換言すれば、各パーティションアドレスが、アクセスモード及び暗号化属性の両方に従ってグループ化された全てのデータフィールドに対応するため、（データの第１のアドレスに同一のアクセスモードを格納し及び関連付けし、及びデータの第２のアドレスに同一の暗号化属性を格納し及び関連付けするのではなく）単一のパーティションアドレスにかかるデータが関連付けされ及び格納される。その結果として、メモリ42内の貴重なスペースが節約される。
【００２３】
図３は、図１に示す複数のパーティション50のうちの１つについてのパーティションID部分62の一例を示している。図示の例では、パーティションID部分62は、データビット70,72,74,76,78,80,82,83を含む８ビットバイトを含む。データビット70-76は、特定の関連するパーティション50内に格納されている全てのデータフィールド56についてのアクセスモードを識別するものである。特に、上位４ビット70,72,74,76は、１グループとして使用され、0000＝リード／ライト、0001＝リードオンリー、0010＝リード／ライト・オアである。別の実施形態では、他の二進数を使用して異なるアクセスモードを示すことが可能である。
【００２４】
データビット78は、特定のパーティション50内の全てのデータ56が暗号化されているか否かを０又は１で示し又は識別するものである。データビット80-83は、特定のパーティション50内のデータフィールド56グループの他の特性又は属性を識別するために他の目的で使用することが可能である。例えば、異なるデータフィールド56は、異なるレベル又は度合いの暗号化を有することが可能である。実施形態によっては、データフィールドを、その異なる暗号化レベルに基づいて更にグループ化することが可能であり、この場合には、データビット80-83のうちの１つ又は２つ以上が、特定のパーティション50内にグループ化されたデータフィールドの全ての特定の暗号化レベル、又は該特定のパーティション50内にグループ化されたデータフィールドの全てに必要な暗号化キー識別子を示すことが可能である。別の実施形態では、パーティションアドレス部分60及びパーティションID部分62は、他のビット長を有することが可能であり、又は一層多数の若しくは少数のかかるアクセスモードをデータフィールドグループ又はパーティション50にマッピングすることが可能である。
【００２５】
図４は、イメージング材料供給カートリッジ24のメモリ42を使用するプロセス又は方法100の一例を示している。ステップ102に示すように、カートリッジ24がプリンタ22によって最初に検知される。これは、プリンタ22に対するカートリッジ24の挿入時又は取り付け時に行うことが可能であり、又はプリンタ22の電源投入時に行うことが可能である。ステップ104に示すように、カートリッジ24がプリンタ22に接続されていることを判定する際に、コントローラ32がパーティションマップ52を読み出す。ステップ106に示すように、コントローラ32は、メモリ42内のパーティション50の各々の境界、並びに識別されたパーティション50の各々毎のアクセスモード及び暗号化属性を識別する。この情報は、コントローラ32に付随するメモリ内に一時的に格納することが可能である。この情報は、メモリ42に対する後続のデータの読み出し及び書き込みのためにコントローラ32により使用される。コントローラ32は、該情報又は読み出したデータを更に使用して、イメージ形成装置38に指示を与えるための制御信号の生成に資することが可能である（図１参照）。
【００２６】
ステップ108,110に示すように、コントローラ32は、パーティションマップ52から読み出したアクセスモード及び暗号化属性データを使用して、メモリ42内のデータフィールドの読み出しに資する。特に、ステップ106に示すように、メモリ42から読み出すべき特定のデータが、暗号化されているものとして識別された特定のパーティション50内に格納されているとコントローラ32が判定した場合、該コントローラ32は、かかるデータフィールドを読み出して、かかるフィールドから取得したデータをデコードし又は復号化した後に使用する。ステップ110に示すように、メモリ42から読み出すべき特定のデータが、暗号化されていないものとして識別された特定のパーティション50内に格納されているとコントローラ32が判定した場合には、該コントローラ32は、かかるデータフィールド56から取得したデータを直接使用することが可能である。特定のデータフィールド56に格納され得るデータ又は特定のデータフィールド56に書き込まれ得るデータの例として、製造日、イメージング材料タイプ、イメージング材料品質、プリンティング命令、プリンティング提案（suggestions）、プリント品質設定、イメージ形成材料保存モード、認証データ、インターネット、ウェブ又はネットワーク権限データ、権限要求情報、権限又はアクセスキー等が挙げられる（但し、これらには限定されない）。
【００２７】
ステップ112に示すように、コントローラ32は、暗号化され又は暗号化されていないデータフィールドにアクセスし又は該データフィールドから読み出したデータを使用して、イメージ形成装置38を用いたイメージの形成時に該イメージ形成装置38に指示を与える制御信号を生成する。特定の実施形態では、コントローラ32は、データフィールド56から読み出されたデータを使用して、プリンタ22の使用者へ更なる情報を伝える制御信号を生成することが可能である。例えば、コントローラ32は、イメージング材料供給源36内のイメージング材料の残量レベルを示すメモリ42内のデータを使用して、イメージング材料供給源36内のイメージング材料の現在のレベルを、又はカートリッジ24のイメージング材料が少なくなっているか否か若しくは近い将来に交換が必要となるかを、ディスプレイ又はその他の視覚的又は聴覚的な連絡装置が使用者に知らせるための、制御信号を生成することが可能である。
【００２８】
ステップ114に示すように、コントローラ32は、書き込み可能なデータフィールド56にデータを書き込むことが可能である。その際、コントローラ32は、特定のパーティション50がデータの書き込みを可能にするアクセスモードを有するか否かを示すパーティションマップ52から読み出した情報を使用する。特定のステップ102-114を示した図４について方法100をその記載順に説明したが、他の実施形態では、かかるステップ106-114の順序は再配置することが可能である。
【００２９】
本開示は、例示としての実施形態に関して説明を行ってきたが、特許請求の範囲に記載の思想及び範囲から逸脱することなく構成及び細部に変更を加えることが可能である、ということが当業者には理解されよう。例えば、１つ又は２つ以上の利益を提供する１つ又は２つ以上の特徴を含むものとして様々な実施形態を説明したが、本開示の実施形態又は他の代替的な実施形態において、本開示の特徴を互いに交換し又は又は互いに代替的に組み合わせることが可能であることが意図されている。本開示の技術が比較的複雑であるため、該技術の全ての変更を予測することはできない。実施形態に関して説明し特許請求の範囲に記載する本開示は、可能な限り広範なものとなることが明らかに意図されている。例えば、特に言及しない限り、単一の特定の要素を記載した請求項は、複数のかかる特定の要素もまた包含するものである。
【図１】
0005383811.tif 000002
【図２】
0005383811.tif 000003
【図３】
0005383811.tif 000004
【図４】
0005383811.tif 000005